(57)【要約】【課題】本発明は、放熱効率が高い発光ダイオードランプを提供する。【解決手段】本発明に係る発光ダイオードランプは、放熱器と、放熱器に接続されるヒートパイプと、ヒートパイプに接続される発光ダイオードと、を備え、放熱器は、連接部及び連接部の外表面に設置される複数のフィンを備え、前記フィンは、板状の本体及び本体の周辺から前記本体に対して垂直に延伸するフランジを備え、複数の前記フィンの前記フランジは、放熱器における環状の平面を形成し、ヒートパイプは、放熱器における環状の平面に沿って設置される凝縮部と、凝縮部に平行であり且つ凝縮部の上方に位置する蒸発部及び凝縮部と蒸発部とを連接する断熱部と、を備え、発光ダイオードは、蒸発部に設置され、放熱器から離れる方向に向かって発光する。【選択図】図２
2012216543.tif 000002
【特許請求の範囲】
【請求項１】
放熱器と、前記放熱器に接続されるヒートパイプと、前記ヒートパイプに接続される発光ダイオードと、を備える発光ダイオードランプにおいて、
前記放熱器は、連接部及び前記連接部の外表面に設置される複数のフィンを備え、
前記フィンは、板状の本体及び前記本体の周辺から前記本体に対して垂直に延伸するフランジを備え、複数の前記フィンの前記フランジは、放熱器における環状の平面を形成し、
前記ヒートパイプは、前記放熱器における環状の平面に沿って設置される凝縮部と、前記凝縮部に平行であり且つ前記凝縮部の上方に位置する蒸発部及び前記凝縮部と前記蒸発部とを連接する断熱部と、を備え、
前記発光ダイオードは、前記蒸発部に設置され、前記放熱器から離れる方向に向かって発光することを特徴とする発光ダイオードランプ。
【請求項２】
前記連接部は、円筒状を呈し、その内部に収容空間を形成し、前記発光ダイオードランプは、前記収容空間内に設置される駆動回路をさらに備えることを特徴とする請求項１に記載の発光ダイオードランプ。
【請求項３】
前記環状の平面は、前記フィンの頂端に形成され且つ前記連接部の頂端と同一平面に位置し、前記ヒートパイプの凝縮部は、前記環状の平面に対応して環状を呈することを特徴とする請求項１または２に記載の発光ダイオードランプ。
【請求項４】
前記発光ダイオードランプは、前記連接部の底端に連接され且つ前記駆動回路と電気接続する口金をさらに備えることを特徴とする請求項２に記載の発光ダイオードランプ。
【発明の詳細な説明】
【技術分野】
【０００１】
本発明は、ランプに関し、特に発光ダイオードランプに関するものである。
【背景技術】
【０００２】
発光ダイオード（ＬＥＤ）は、高輝度、低消費電力、長寿命である等の利点を有することから、従来の蛍光灯或いは白熱灯に代わるランプの光源として広く利用されている。
【０００３】
前記発光ダイオードは、作動中に大量の熱が発生するため、現在、一般的には、発光ダイオードが放熱器に設けられている。しかし、従来の放熱器は、高パワーの発光ダイオードに対して、その発生する熱を即座に放熱させることができないため、熱の蓄積を起こしやすく、発光ダイオードランプの寿命、安定性及び信頼性にも影響を与える可能性がある。
【発明の概要】
【発明が解決しようとする課題】
【０００４】
前記課題を解決するために、本発明は、放熱効率が高い発光ダイオードランプを提供する。
【課題を解決するための手段】
【０００５】
本発明に係る発光ダイオードランプは、放熱器と、前記放熱器に接続されるヒートパイプと、前記ヒートパイプに接続される発光ダイオードと、を備え、前記放熱器は、連接部及び前記連接部の外表面に設置される複数のフィンを備え、前記フィンは、板状の本体及び前記本体の周辺から前記本体に対して垂直に延伸するフランジを備え、複数の前記フィンの前記フランジは、放熱器における環状の平面を形成し、前記ヒートパイプは、前記放熱器における環状の平面上に設置される凝縮部と、前記凝縮部に平行であり、且つ前記凝縮部の上方に位置する蒸発部及び前記凝縮部と前記蒸発部とを連接する断熱部と、を備え、前記発光ダイオードは、前記蒸発部に設置され、前記放熱器から離れる方向に向かって発光する。
【発明の効果】
【０００６】
従来の技術と比べて、本発明に係る発光ダイオードランプは、ヒートパイプを利用して発光ダイオード及び放熱器を連接する。従って、熱の伝達速度を大いに向上でき、且つ前記発光ダイオードから発生した熱を、放熱器に素早く伝達することができる。また、ヒートパイプの凝縮部が、放熱器における環状の平面に沿って設置されるので、複数の前記フィンと各々接続でき、従って、熱が各々のフィンに均一に分散され、放熱効率も高い。
【図面の簡単な説明】
【０００７】
【図１】本発明の実施形態に係る発光ダイオードランプの斜視図である。
【図２】図１に示した本発明の実施形態に係る発光ダイオードランプの分解図である。
【図３】図１に示した本発明の実施形態に係る発光ダイオードランプを反転させた分解図である。
【図４】図２及び図３に示した本発明の実施形態に係る発光ダイオードランプの放熱器の分解図である。
【図５】図４に示した本発明の実施形態に係る放熱器のフィンの拡大図である。
【図６】放熱器、ヒートパイプ及び発光ダイオードの組立図である。
【発明を実施するための形態】
【０００８】
以下、図面を参照して、本発明の実施形態について説明する。
【０００９】
図１〜図３を参照すると、本発明の実施形態に係る発光ダイオードランプ１０は、放熱器１１と、ヒートパイプ１２と、発光ダイオード１３と、駆動回路１４と、口金１５と、ランプカバー１６と、を備える。
【００１０】
図４を参照すると、前記放熱器１１は、円筒状の連接部１１１と、前記連接部１１１の外表面に前記連接部１１１の軸方向に沿って延在するとともに周方向に配列される複数のフィン１１２と、前記連接部１１１に連接されるリング１１３と、を備える。前記連接部１１１の内部には、収容空間１１１ａが形成される。
【００１１】
図５を合わせて参照すると、前記複数のフィン１１２は、板状の本体１１５及び前記本体１１５の周辺から前記本体１１５に対して垂直に延伸するフランジ１１４を備える。前記本体１１５は、直線の上辺縁１１５ａと、前記上辺縁１１５ａに平行であり且つ前記上辺縁１１５ａの長さより短い下辺縁１１５ｂと、前記上辺縁１１５ａの一端と前記下辺縁１１５ｂの一端とを連接する直線の内辺縁１１５ｃ及び前記上辺縁１１５ａの他端と前記下辺縁１１５ｂの他端とを連接する円弧状の外辺縁１１５ｄと、を備える。また、前記フランジ１１４は、前記本体１１５の上辺縁１１５ａから延在する第一延伸部１１４ａと、前記本体１１５の下辺縁１１５ｂから延在する第二延伸部１１４ｂ及び前記本体１１５の内辺縁１１５ｃから延在する第三延伸部１１４ｃと、を備える。
【００１２】
前記放熱器１１を組み立てる際、複数の前記フィン１１２は、前記連接部１１１の外表面に該連接部１１１を囲んで設置される。従って、複数の前記フィン１１２の前記第三延伸部１１４ｃは、前記連接部１１１の外表面に連接する円筒状の内表面１１２ｄを形成し、複数の前記フィン１１２の前記第一延伸部１１４ａは、環状の第一平面１１２ｅを形成し、複数の前記フィン１１２の前記第二延伸部１１４ｂは、環状の第二平面１１２ｆを形成する。
【００１３】
複数の前記フィン１１２を前記連接部１１１に設置する時、前記連接部１１１の頂端は、前記フィン１１２の第一平面１１２ｅと同一平面に位置する。しかし、前記連接部１１１の軸方向の長さは、前記フィン１１２の軸方向の長さより長いため、前記連接部１１１の底端は、複数の前記フィン１１２から露出し且つ前記リング１１３に挿入される。また、前記リング１１３の表面は、前記フィン１１２の前記第二平面１１２ｆに当接される。
【００１４】
図６を参照すると、前記ヒートパイプ１２は、前記放熱器１１上に設置され、蒸発部１２１と、凝縮部１２２と、前記蒸発部１２１及び前記凝縮部１２２を連接する断熱部１２３と、を備える。前記凝縮部１２２は、逆Ｃ形を呈し、前記放熱器１１の複数の前記第一平面１１２ｅによって形成される円形状の面に沿って、第一平面１１２ｅ上に半田付けされる。前記断熱部１２３は、前記凝縮部１２２の一端から前記放熱器１１に対して垂直に延伸している。前記蒸発部１２１は、前記断熱部１２３の上端からやや前記放熱器１１に対して垂直に延伸した後、前記第一平面１１２ｅに平行な方向に沿って延伸し且つ前記放熱器１１の前記連接部１１１の中心軸と交差する。前記ヒートパイプ１２は、熱を前記放熱器１１に素早く伝達でき、また、前記ヒートパイプ１２の凝縮部１２２が、前記放熱器１１の前記第一平面１１２ｅに沿って設置されるので、複数の前記フィン１１２と各々接続できる。従って、熱が各々の前記フィン１１２に均一に分散され、放熱効率も高い。
【００１５】
前記発光ダイオード１３は、前記連接部１１１の中心軸に位置し、且つ前記ヒートパイプ１２の蒸発部１２１の自由端に半田付けされるため、その光は上方（即ち、前記放熱器１１から離れる方向）に出射される。
【００１６】
前記駆動回路１４は、前記放熱器１１の前記収容空間１１１ａ内に設置され、その一端が前記口金１５に連接されることによって、外部電源と電気接続され、前記発光ダイオード１３を点灯させる。
【００１７】
また、前記口金１５は、前記連接部１１１の底端に連接され且つ前記リング１１３の底面に当接される。前記口金１５の口金のサイズは、Ｅ１２、Ｅ１４、Ｅ２６、Ｅ２７、ＧＵ１０、ＰＡＲ３０及びＭＲ１６から選択される一種である。前記口金１５は、螺合或いは挿入などの方法によって、異なるサイズのソケットに接続することができる。
【００１８】
前記ランプカバー１６は、前記放熱器１１に覆設され、前記ヒートパイプ１２及び前記発光ダイオード１３を保護し、防水及び防塵の役目を果たす。
【００１９】
本発明の実施形態に係る発光ダイオードランプ１０は、前記ヒートパイプ１２を利用して、前記発光ダイオード１３及び前記放熱器１１を連接する。従って、熱の伝達速度を大いに向上でき、且つ前記発光ダイオード１３から発生した熱を前記放熱器１１に素早く伝達することができる。また、前記ヒートパイプ１２の前記凝縮部１２２が、前記放熱器１１における環状の前記第一平面１１２ｅに沿って設置されるので、複数の前記フィン１１２と各々接続でき、従って、熱が各々の前記フィン１１２に均一に分散され、放熱効率も高い。
【符号の説明】
【００２０】
１０  発光ダイオードランプ
１１  放熱器
１２  ヒートパイプ
１３  発光ダイオード
１４  駆動回路
１５  口金
１６  ランプカバー
１１１  連接部
１１２  フィン
１１３  リング
１１４  フランジ
１１５  本体
１１１ａ  収容空間
１１２ｄ  内表面
１１２ｅ  第一平面
１１２ｆ  第二平面
１１４ａ  第一延伸部
１１４ｂ  第二延伸部
１１４ｃ  第三延伸部
１１５ａ  上辺縁
１１５ｂ  下辺縁
１１５ｃ  内辺縁
１１５ｄ  外辺縁
１２１  蒸発部
１２２  凝縮部
１２３  断熱部
【図１】
2012216543.tif 000003
【図２】
2012216543.tif 000004
【図３】
2012216543.tif 000005
【図４】
2012216543.tif 000006
【図５】
2012216543.tif 000007
【図６】
2012216543.tif 000008